(57)【特許請求の範囲】
【請求項１】
複数の数値フレーズと数値フレーズの間の無音区間で構成される数値センテンスを含む報知音声データを報知する音声処理部を備え、
前記音声処理部は、
合成音声データを生成するための辞書データを記憶する辞書データ記憶部と、
前記辞書データを参照して複数の数値フレーズで構成される数値センテンスを含む空気調和機用の報知音声センテンスデータを編集する報知音声センテンス編集部と、
前記数値センテンスの数値フレーズ数が設定数以上であるときに、前記数値フレーズのフレーズ数が前記設定数未満であるときに比較して前記数値フレーズ間に挿入する無音区間を長く設定する無音区間設定部と、
該無音区間設定部で設定された無音区間を前記数値センテンスの前記数値フレーズ間に挿入して報知音声データを形成する報知音声データ形成部と、
形成された前記報知音声データを報知する音声データ報知部と
を備え、
前記数値フレーズは、桁単位で形成され、前記設定数は、前記音声データ報知部で報知される前記報知音声データ中の数値センテンスの聞き取り易さを区分する値に設定されていることを特徴とする空気調和機。
【請求項２】
複数の数値フレーズと数値フレーズの間の無音区間で構成される数値センテンスを含む報知音声データを報知する音声処理部を備え、
前記音声処理部は、
合成音声データを生成するための辞書データを記憶する辞書データ記憶部と、
前記辞書データを参照して複数の数値フレーズで構成される数値センテンスを含む空気調和機用の報知音声センテンスデータを編集する報知音声センテンス編集部と、
前記数値センテンスの数値フレーズ数が設定数以上であるときに、前記数値フレーズのフレーズ数が前記設定数未満であるときに比較して前記数値フレーズ間に挿入する無音区間を長く設定する無音区間設定部と、
該無音区間設定部で設定された無音区間を前記数値センテンスの前記数値フレーズ間に挿入して報知音声データを形成する報知音声データ形成部と、
形成された前記報知音声データを報知する音声データ報知部と
を備え、
前記数値フレーズが設定数以上である数値センテンスは、数値フレーズが３個以上の電気使用代金であることを特徴とする空気調和機。
【請求項３】
リモコンに形成された報知音声データ形成指令を選択する音声データ選択部を有し、前記報知音声センテンス編集部は、前記音声データ選択部で選択された報知音声データ形成指令に基づいて空気調和機用の報知音声センテンスデータを編集することを特徴とする請求項１又は２に記載の空気調和機。
【発明の詳細な説明】
【技術分野】
【０００１】
本発明は、空気調和機に係わり、より詳細には、音声報知部により音声報知するようにしたものに関する。
【背景技術】
【０００２】
従来の空気調和機では、例えば特許文献１に記載されているように、本体に備えた音声報知部で、使用者に運転内容を音声報知するようにしている。
【先行技術文献】
【特許文献】
【０００３】
【特許文献１】特開２００７−４０６４４号公報
【発明の概要】
【発明が解決しようとする課題】
【０００４】
しかしながら、音声報知部で音声報知する場合に、使用者が報知された音声を聞き取り難い状況が発生する場合がある。
すなわち、周囲温度や使用電気料金などを音声報知部で音声報知する場合に数値を表すフレーズ数によって聞き取り易い場合と聞き取り難い場合とが生じ、数値フレーズ数の多少にかかわらず聞き取り易い音声報知を行うことができないという課題がある。
そこで、本発明は、上記従来例の課題に着目してなされたものであり、数値フレーズ数の多少にかかわらず音声報知を聞き取り易くするようにした空気調和機を提供することを目的としている。
【課題を解決するための手段】
【０００５】
上記課題を解決するために、本発明の一態様に係る空気調和機は、複数の数値フレーズと数値フレーズの間の無音区間で構成される数値センテンスを含む報知音声データを報知する音声処理部を備え、音声処理部は、合成音声データを生成するための辞書データを記憶する辞書データ記憶部と、前記辞書データを参照して複数の数値フレーズで構成される数値センテンスを含む空気調和機用の報知音声センテンスデータを編集する報知音声センテンス編集部と、前記数値センテンスの数値フレーズ数が設定数以上であるときに、前記数値フレーズのフレーズ数が前記設定数未満であるときに比較して前記数値フレーズ間に挿入する無音区間を長く設定する無音区間設定部と、該無音区間設定部で設定された無音区間を前記数値センテンスの前記数値フレーズ間に挿入して報知音声データを形成する報知音声データ形成部と、形成された前記報知音声データを報知する音声データ報知部とを備え、前記数値フレーズは、桁単位で形成され、前記設定数は、前記音声データ報知部で報知される前記報知音声データ中の数値センテンスの聞き取り易さを区分する値に設定されている。
【発明の効果】
【０００６】
本発明の一態様によれば、数値フレーズ数の多少にかかわらず聞き取り易い報知音声を行うことができる空気調和機を提供することができる。
【図面の簡単な説明】
【０００７】
【図１】本発明の一実施態様を示す空気調和機のブロック図である。
【図２】本発明の一実施態様を示す室外機の外観図である。
【図３】リモコンを示す正面図である。
【図４】図１の室内機制御部に設けられた音声処理部を示すブロック図である。
【図５】図２の音声処理部の音声出力処理手順の一例を示すフローチャートである。
【図６】音声報知データの一例を示す図である。
【発明を実施するための形態】
【０００８】
次に、図面を参照して、本発明の一実施の形態を説明する。以下の図面の記載において、同一または類似の部分には同一または類似の符号を付している。
また、以下に示す実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【０００９】
本発明の一態様である空気調和機は、図１に示すように、室内に配置される室内機１０と、この室内機１０に連結された室外に配置される室外機４０と、室内機１０を操作するリモコン６０とを備えている。
室内機１０の外観は、図２に示すように、横長の箱体構造を有し、前面にグリル１１を備えたカバー１２が図示しない熱交換器や室内ファン等といった内部の構造物を覆うように配置されている。また、下方に備えられた横長の吹出口１３には、複数の上下風向板１４及び図示しない複数の左右風向板が配置されている。
【００１０】
吹出口１３の右側には、リモコン受光部１５が設けられている。このリモコン受光部１５はリモコン６０から発信される赤外線信号を受信して電気信号に変換する。
また、リモコン受光部１５の下方には、報知音声データを報知する音声データ報知部を構成するスピーカ１６が設けられている。このスピーカ１６は、後述する音声回路３７から送出される音声信号が供給されて合成音声を発する。
【００１１】
また、室内機１０及び室外機４０は、図１に示すように構成されている。室内機１０内には、室内熱交換器１７と室内ファン１８とを有している。室内ファン１８はクロスフローファンで構成され、回転によって気流を生成する。この室内ファン１８によって、室内機１０に設けられた図示しない吸込口から室内空気が吸い込まれる。吸い込まれた室内空気は、室内熱交換器１７を通過することにより、冷媒と熱交換され、冷気流又は暖気流が生成される。生成された冷気流又は暖気流は、吹出口１３から室内に吹き出される。室内熱交換器１７を通り抜ける気流の流量は、室内ファン１８の回転数によって調整される。
【００１２】
室内熱交換器１７には、室外機４０に設けられた冷凍回路４１から冷媒が供給される。この冷凍回路４１は、図１に示すように、四方弁４２、圧縮機４３、室外熱交換器４４、膨張弁４６、室外ファン４５及び冷媒管４７などで構成されている。
そして、冷房運転が設定された場合には、四方弁４２は、第２口４２ｂ及び第３口４２ｃを相互に接続し、第１口４２ａ及び第４口４２ｄを相互に接続する。これにより、圧縮機４３の吐出管４３ｂから高温高圧の冷媒が室外熱交換器４４に供給される。冷媒は、室外熱交換器４４及び膨張弁４６を通って室内熱交換器１７に供給される。
室外熱交換器４４では、冷媒が熱エネルギーを外部に放出して凝縮する。冷媒は、膨張弁４６で低圧まで減圧され、室内熱交換器１７で周囲の空気から吸熱して蒸発する。これにより生成された冷気は、室内ファン１８の働きにより室内空間に吹き出される。室内熱交換器１７で吸熱した冷媒は、四方弁４２を通って圧縮機４３に戻される。
【００１３】
一方、暖房運転が設定された場合には、四方弁４２は、第２口４２ｂ及び第４口４２ｄを相互に接続し、第１口４２ａ及び第３口４２ｃを相互に接続する。これにより、圧縮機４３の吐出管４３ｂから高温高圧の冷媒が室内熱交換器１７に供給される。冷媒は、室内熱交換器１７及び膨張弁４６を順番に通って室外熱交換器４４に供給される。室外熱交換器４４では、冷媒が熱エネルギーを周囲の空気に放出して凝縮し、暖気が生成される。暖気は、室内ファン１８の働きで室内空間に吹き出される。冷媒は、膨張弁４６で低圧まで減圧され、室外熱交換器４４で周囲の空気から吸熱して蒸発する。その後、冷媒は圧縮機５３に戻される。
【００１４】
また、室内機１０では、図１に示すように、室内ファン１８を回転駆動する室内ファンモータ２１がモータ駆動回路２２によって駆動される。さらに、上下風向板１４を駆動する上下風向板用モータ２３がモータ駆動回路２４によって駆動され、左右風向板を駆動する左右風向板用モータ２５がモータ駆動回路２６によって駆動される。商用交流電源に接続される電源プラグ２７が接続された電源線２８には、室内機１０及び室外機４０を構成する各回路に制御電力を供給する電源回路２９が接続されている。モータ駆動回路２２、２４及び２６には、電源回路２９より制御電力が供給される。
【００１５】
各モータ駆動回路２２、２４及び２６は、室内機制御部３０によって制御される。この室内機制御部３０には、リモコン受光部１５を含んで構成されるリモコン受信部３１と、室内の温度を検出する温度センサ３２及び室内の湿度を検出する湿度センサ３３の検出信号が入力されるセンサ入力部３４と、室外機４０との通信を行う通信部３５とが接続されている。また、室内機制御部３０には、電源線２８に流れる交流電流を検出する電流検出部３６が接続されている。
さらに、室内機制御部３０には、音声回路３７が接続され、この音声回路３７から出力される音声信号がスピーカ１６に供給される。
【００１６】
また、室外機４０では、図１に示すように、圧縮機４３を作動させる圧縮機モータ４３ａがモータ駆動回路４８によって駆動され、室外ファン４５の室外ファンモータ４５ａがモータ駆動回路４９によって駆動される。そして、両モータ駆動回路４８及び４９は電源回路２９から制御電力が供給され、室外機制御部５０によって制御される。室外機制御部５０には、室内機１０の通信部３５と通信を行って制御情報の授受を行う通信部５１が接続されている。なお、圧縮機用モータ４３ａを駆動するモータ駆動回路４８は交流を直流に変換する整流回路とこの整流回路から出力される直流を交流に変換するインバータとで構成されている。インバータから出力される３相交流が圧縮機用モータ４３ａに供給される。
【００１７】
リモコン６０は、図３に示すように、携帯可能な小型の箱体で構成され、上面に、使用者が設定した運転内容、設定温度、風量、風向等の空調設定情報を表示する表示部６１と、使用者が室内機１０の冷房運転を開始させる冷房運転開始スイッチ６２と、使用者が室内機１０の暖房運転を開始させる暖房運転開始スイッチ６３と、室内機１０の運転を停止するための停止スイッチ６４と、設定温度を昇降させる温度設定ボタン６５と、風量を設定する風量設定ボタン６６と、風向を設定する風向設定ボタン６７と、音声報知による温度、湿度、使用電気代等のお知らせ情報を選択する音声データ選択部としてのお知らせボタン６８と、運転内容選択情報やお知らせ情報を赤外線信号として室内機１０へ送信する送信部６９とを備えている。
【００１８】
そして、リモコン６０を操作して選択した各種情報は、送信部６９から赤外線信号として室内機１０のリモコン受信部３１へ送信される。リモコン受信部３１で受信された赤外線信号は電気信号に変換されて室内機制御部３０へ供給される。
室内機制御部３０は、図４に示すよう、各モータ駆動回路２２、２４及び２６を制御する駆動制御部７０と、センサ入力部３４から入力される温度及び湿度の情報を得ると共に、使用電気代を演算するお知らせ情報演算部７１と、音声報知データ形成する音声処理部７２とを備えている。また、室内機制御部３０は、駆動制御部７０、お知らせ情報演算部７１及び音声処理部７２と例えばバス接続された温度データ記憶部７３、湿度データ記憶部７４、電気代データ記憶部７５、辞書データ記憶部７６、報知音声センテンスデータ記憶部７７及び報知音声データ記憶部７８を備えている。
【００１９】
室内機制御部３０は、リモコン受信部３１から入力される電気信号が暖房運転信号又は冷房運転信号である場合に、これらに対応して、室内機１０の暖房運転又は冷房運転を開始する。すなわち、室内機制御部３０は、モータ駆動回路２２を介して室内ファンモータ２１を回転駆動して室内ファン１８を回転させる。これと同時に室内機制御部３０から室外機運転指令が通信部３５及び室外機４０の通信部５１を介して室外機制御部５０に送信される。このため、室外機制御部５０は、モータ駆動回路４８を介して圧縮機モータ４３ａを回転駆動して圧縮機４３の作動を開始させる。また、室外機制御部５０は、モータ駆動回路４９を介して室外ファンモータ４５ａを回転駆動して室外ファン４５を回転させる。さらに、室外機制御部５０は、四方弁４２を冷房位置又は暖房位置に切り替える。
【００２０】
また、駆動制御部７０は、リモコン受信部３１から入力される電気信号が停止信号である場合に、モータ駆動回路２２、２４及び２６を介して室内ファン１８を停止させるとともに、左右風向板用モータ２３及び上下風向板用モータ２５を停止位置へ回転させる。これと同時に、駆動制御部７０は停止信号を通信部３５及び５１を介して室外機制御部５０に送信し、室外機制御部５０はモータ駆動回路４８及び４９を介して圧縮機４３及び室外ファン４５を停止させる。
【００２１】
お知らせ情報演算部７１は、予め設定した読込周期（例えば１分）毎に温度センサ３２で検出した室内の温度検出値を温度データ記憶部７３に上書きするとともに、湿度センサ３３で検出した室内の湿度検出値を湿度データ記憶部７４に上書きする。また、お知らせ情報演算部７１は、予め設定した読込周期Ｔ（例えば１分）毎に電流検出部３６で検出した電流検出値Ｉを読込み、電流検出値Ｉに電源プラグ２７を接続した商用交流電源の電圧（実効値）Ｖと読込周期Ｔとを乗算して単位時間当りの電力量ΔＷ（＝Ｉ×Ｖ×Ｔ）を算出する。なお電圧Ｖとして、使用される電圧を室内機制御部３０に予め記憶しておき、それを用いるようにしても良い。
【００２２】
そして、算出した単位時間当りの電力量ΔＷを、電気代データ記憶部に記憶されている、当日の零時以降に消費された電力量を合計した電力量合算値Ｗに加算して新たな電力量合算値Ｗを算出し、この新たな電力量合算値Ｗに単位時間当りの電力料金を乗算して本日使用電気代Ｅを算出し、算出した本日使用電気代Ｅを電気代データ記憶部７５に上書きする。なお、電気代データ記憶部７５に記憶されている電力量合算値Ｗ及び本日使用電気代Ｅは日付が変わる時点で零にクリアされる。
【００２３】
さらに、音声処理部７２は、報知音声センテンス編集部７２ａと、無音区間設定部７２ｂと、報知音声データ形成部７２ｃと、音声データ出力処理部７２ｄとを備えている。
報知音声センテンス編集部７２ａは、リモコン６０でお知らせボタン６８を操作して温度報知指令、湿度報知指令及び本日使用電気代報知指令の何れかで表されるお知らせ報知情報が送信部６９から室内機１０のリモコン受信部３１を介して入力されると、お知らせ情報の内容を判別して複数の数値フレーズで構成される数値センテンスを含む報知音声センテンスデータを編集し、編集した報知音声センテンスデータを報知音声センテンスデータ記憶部７７に上書きする。ここで、数値フレーズは「いち」のように１桁のときには数字を表す数詞のみで構成され、「にじゅう」、「さんびゃく」のように２桁以上のときには数字を表す数詞と位を表す数詞とが組み合わされて桁単位で構成されている。
【００２４】
無音区間設定部７２ｂは、報知音声センテンスデータ中の数値センテンスの数値フレーズ数が設定数（例えば“３”個）以上であるか否かに応じて数値フレーズ間に挿入する無音区間の長さを設定する。すなわち、温度や湿度では、例えば「２８」度や「６５」％などのように数値フレーズ数が最大で２個連続する場合があるが、本日使用電気代ではハイパワー運転を連続して行った場合に例えば「３５２」円などのように数値フレーズが３個連続する場合が生じる。本発明者が種々の実験を行った結果、二桁の数値のように数値フレーズ数が２個である場合には、数値フレーズ間の無音区間の長さが短くても使用者は聞き取り易いが、３桁以上の数値のように数値フレーズ数が３個以上となる場合には、数値フレーズ数が２個である場合と同じ無音区間の長さに設定すると使用者が聞き取り難くなるということが判明した。
【００２５】
そこで、本実施形態では、数値フレーズ数が多くなる本日使用電気代を合成音声で報知する場合に、数値フレーズ数が３個以上であるか否かを判定し、数値フレーズ数が３個以上であるときには数値フレーズ間に挿入する無音区間の長さを数値フレーズ数が２個である場合の無音区間の長さより長く設定する。
【００２６】
報知音声データ形成部７２ｃは、報知音声センテンスデータ記憶部に記憶されている報知音声センテンスデータ中の数値センテンスを構成する数値フレーズ間に無音区間設定部７２ｂで設定された長さの無音区間を挿入して報知音声データを形成し、形成した報知音声データを報知音声データ記憶部７８に記憶する。
【００２７】
音声データ出力処理部７２ｄは、報知音声データ記憶部７８に記憶されている報知音声データを読み出して音声回路３７に出力することにより、スピーカ１６から使用者の求めている温度、湿度及び本日使用電気代の何れかを合成音声で報知する。ここで、音声データ出力処理部７２ｄ、音声回路３７及びスピーカ１６で音声データ報知部が構成されている。
【００２８】
次に、本実施形態の音声処理部７２の動作を、音声処理部７２で実行する図５に示す音声出力処理を参照して説明する。
先ず、使用者がリモコン６０のお知らせボタン６８を操作すると、操作する毎に例えば温度、湿度及び本日使用電気代の３つの表示項目が順に表示部６１に表示されるとともに、表示項目に対応する温度報知指令、湿度報知指令及び本日使用電気代報知指令の何れかがお知らせ情報として送信部６９から赤外線通信で室内機１０のリモコン受信部３１に送信される。
【００２９】
ここで、報知音声フレーズと数値センテンスとを組み合わせた報知音声センテンスデータのうち、温度について報知する場合の、温度用報知音声センテンスデータを例に説明する。リモコン６０のお知らせボタン６８を操作したときに、温度が表示部６１で表示されているものとすると、温度報知指令が送信部６９から赤外線通信で室内機１０のリモコン受信部３１に送信される。室内機１０では、音声処理部７２で常時リモコン６０からの赤外線信号を受信したか否かを判定している（ステップＳ１）。
【００３０】
赤外線信号を受信していないときには赤外線信号を受信するまで待機し、赤外線信号を受信したときには受信した赤外線信号が温度報知指令であるか否かを判定する（ステップＳ２）。このとき、赤外線信号が温度報知指令であるので、音声処理部７２は温度データ記憶部７３に記憶されている温度データを読込み（ステップＳ３）、読み込んだ温度データの数値に対応する音声データを辞書データ記憶部７６から数字を表す数詞と位を表す数詞とを組み合わせて１つの数値フレーズとして読み込んで数値センテンスを形成する（ステップＳ４）。この場合温度が２８度であるときには、「にじゅう」で表される数値フレーズと「はち」で表される数値フレーズとの２つの数値フレーズを組み合わせて数値センテンスを構成する。
【００３１】
さらに、無音区間の長さとして２個の数値フレーズを報知する場合のデフォルト値であるＬ１を設定し(ステップＳ５)、次いで、温度用フレーズである音声データ「おんどは」「どです」を辞書データ記憶部７６から読み込む（ステップＳ６）。
続いて読み込んだ温度用フレーズと数値センテンスとを組み合わせて温度用報知音声センテンスデータを編集し（ステップＳ７）、次いで、編集した報知音声センテンスデータの温度用フレーズと数値センテンスとの間と、数値センテンスの数値フレーズ間に設定された長さの無音区間Ｌ１を組み込んで温度用報知音声データを形成する（ステップＳ８）。これによって、図６（Ａ）に示すように、「おんどは」の温度用フレーズを表す報知音声フレーズと、無音区間Ｌ１と、数値センテンスを構成する数値フレーズ「にじゅう」、無音区間Ｌ１、数値フレーズ「はち」、無音区間Ｌ１、温度用フレーズを表す報知音声フレーズ「どです」が連続する温度用報知音声データが形成される。
【００３２】
さらに、音声出力処理では、形成した温度用報知音声データを報知音声データ記憶部７８に上書きし（ステップＳ９）、次いで記憶された温度用報知音声データを音声回路３７に出力してスピーカ１６から形成した温度用報知音声データに基づく合成音声が使用者に報知される（ステップＳ１０）。
次に、報知音声フレーズと数値センテンスとを組み合わせた報知音声センテンスデータのうち、湿度について報知する場合の、湿度用報知音声センテンスデータを例に説明する。また、使用者がリモコン６０のお知らせボタン６８を操作して、表示部６１で湿度が表示されたときには、湿度報知指令が送信部６９から室内機１０のリモコン受信部３１へ送信される。
【００３３】
この場合には、図５の音声出力処理におけるステップＳ２で温度報知指令ではないと判定され、ステップＳ１１に移行して湿度報知指令であるか否かが判定され、湿度報知指令であるので、音声処理部７２は前述した温度報知指令と同様の手順で、湿度データ記憶部７４から２桁又は３桁（１００）の湿度データ例えば「６５」を読み込み（ステップＳ１２）、読み込んだ湿度データに対応する音声データが２つの数値フレーズ例えば「ろくじゅう」「ご」として読み出されて数値センテンスが形成され（ステップＳ１３）、数値センテンスの数値フレーズが最大で２であるので、無音区間の長さとしてデフォルト値であるＬ１が設定される（ステップＳ１４）。
【００３４】
続いて音声出力処理では、湿度用フレーズである「しつどは」「ぱーせんとです」が辞書データ記憶部７６から読み出され（ステップＳ１５）、湿度用フレーズと数値センテンスとが組み合わされて湿度用報知音声センテンスデータが編集され（ステップＳ１６）、編集された湿度用報知音声センテンスデータに無音区間Ｌ１を挿入して湿度用報知音声データが形成され（ステップＳ１７）、形成された湿度用報知音声データが報知音声データ記憶部７８に上書きされる（ステップＳ１８）。さらに、記憶された湿度用報知音声データが音声回路３７へ出力されてスピーカ１６から形成した湿度用報知音声データに基づく報知音声が使用者に報知される（ステップＳ１０）。
【００３５】
さらに、報知音声フレーズと数値センテンスとを組み合わせた報知音声センテンスデータのうち、本日使用電気代について報知する場合の、本日使用電気代用報知音声センテンスデータを例に説明する。使用者がリモコン６０のお知らせボタン６８を操作して、表示部６１で本日使用電気代が表示されたときには、本日使用電気代報知指令が送信部６９から室内機１０のリモコン受信部３１へ送信される。
【００３６】
この場合には、図５の音声出力処理におけるステップＳ２で温度報知指令ではないと判定され、ステップＳ１１で湿度報知指令ではないと判定されるので、ステップＳ１９に移行して、本日電気代報知指令であるか否かを判定し、本日電気代報知指令であるので、電気代データ記憶部７５に記憶されている本日使用電気代データ例えば「３５２円」を読み込み（ステップＳ２０）、次いで数値に対応する音声データ「さんびゃく」「ごじゅう」「に」を辞書データ記憶部７６から数値フレーズとして読み込んで数値センテンスを形成する（ステップＳ２１）。
【００３７】
続いて音声出力処理では、数値センテンスを構成する数値フレーズ数が３以上であるか否かを判定し（ステップＳ２２）、数値フレーズ数が３であるので、無音区間の長さとして数値フレーズ数が２以下の場合のデフォルト値となるＬ１より長いＬ２を設定し（ステップＳ２３）、次いで、本日使用電気代用フレーズである「ほんじつしようでんきだいは」「えんです」の音声データを辞書データ記憶部７６から読み出す（ステップＳ２６）。そして、本日使用電気代用フレーズと数値センテンスとを組み合わせ本日使用電気代用報知音声センテンスデータが編集され（ステップＳ２７）、編集された本日使用電気代用報知音声センテンスデータの本日使用電気代用報知音声フレーズと数値センテンスとの間にデフォルト値のＬ１に設定された無音区間を挿入し、数値センテンス内の数値フレーズ間に長さＬ２に設定された無音区間を挿入して本日使用電気代用報知音声データが形成される（ステップＳ２８）。このように、図６（Ｂ）に示すような本日使用電気代用報知音声データが形成され、報知音声データ記憶部７８に上書きされる（ステップＳ２９）。さらに、記憶された本日使用電気代用報知音声データが音声回路３７へ出力されてスピーカ１６から今月電気代報知音声が使用者に報知される（ステップＳ１０）。
【００３８】
したがって、数値センテンスを構成する数値フレーズ数が「さんびゃく」「ごじゅう」「に」のように３個以上である場合に、温度、湿度のように数値フレーズが２個以下の場合の無音区間の長さＬ１に比較して長い長さＬ２が無音区間として設定されるので、数値センテンス内の数値フレーズ間の間隔を長くして使用者が数値センテンスを聞き取り易くすることができる。
【００３９】
一方、本日使用電気代が２桁で２個の数値フレーズを有する場合あるいは「１０１」〜「１１０」、「２０１」〜「２２０」等のように、数字は３桁であるが、数値フレーズとしては「ひゃく」「いち」〜「ひゃく」「じゅう」、「にひゃく」「いち」〜「にひゃく」「にじゅう」のように２個の数値フレーズ数となる場合には、音声出力処理におけるステップＳ２２からステップＳ２４を経てステップＳ２５に移行して、無音区間の長さがデフォルト値のＬ１に設定され、数値センテンスの数値フレーズ間の無音区間が温度報知及び湿度報知と同様に短い無音区間に設定される。このため、数字センテンスの音声報知が間延びすることなく聞き取り易くすることができる。
【００４０】
なお、数値が１桁の場合や「じゅう」、「にじゅう」、「ひゃく」「にひゃく」のように２桁又は３桁の数字ではあるが１個の数値フレーズとなる場合には、数値フレーズ間が存在しないので、ステップＳ２４から直接ステップＳ２６に移行し数値センテンス内への無音区間の設定は行われず、複数の数値フレーズを有するときに、数値フレーズ間に無音区間を設定する。
【００４１】
このように、上記実施形態によると、本日使用電気代のように、数値センテンスを構成する数値フレーズ数が３個以上となる場合には、数値フレーズ数が２個の場合に比較して長い無音区間（Ｌ２）を数値フレーズ間に挿入して数値フレーズ間が無音となる間隔を長くしたので、使用者が数値センテンスを聞き取り易くなる。また、数値フレーズ数が２個の場合には、２個の数値フレーズを聞き取り易くする最小の無音区間（Ｌ１）を設定することが可能となる。
【００４２】
したがって、数値センテンスを構成する数値フレーズ数の大小にかかわらず、聞き取り易い音声報知を行うことができる。
しかも、数値センテンス内の数値フレーズ数が多い場合に、数値フレーズ間に挿入する無音区間の長さを長くするだけで使用者が聞き取り易くなり、数値フレーズ数の大小に応じて話速を変更する話速変換処理等の複雑な処理を行うことなく、使用者に聞き取り易い報知を簡易な構成で行うことができる。
さらに、数値センテンス内の数値フレーズを、数字を表す数詞と位を表す数詞とを纏めて１つの数値フレーズとしているので、位間でのみ無音区間が挿入されることになり、使用者が聞き取り易い音声報知を行うことができる。
【００４３】
また、リモコン６０の操作によって、音声報知を明瞭に行うことができるので、リモコン６０に、温度、湿度、本日使用電気代等の室内機１０側で管理されている数値情報を送信してリモコン６０の表示部６１に表示する必要がなくなり、室内機１０からリモコン６０への情報伝達を中止して室内機１０及びリモコン６０間を双方向通信から単方向通信に変更することができるとともに、表示部６１を必要最小限あるいは表示部６１を省略することも可能となる。これにより送信部６９及びリモコン受信部３１の構成を簡略化することができる。
【００４４】
なお、上記実施形態においては、数値センテンスの数値フレーズ数が３個以下である場合について説明したが、これに限定されるものではなく、本日使用電気代を１ヶ月分累積した今月使用電気代のように数値センテンスの数値フレーズ数が４個以上となる場合にも本発明を適用することができる。このとき、数値フレーズ数が４個以上となる場合に、数値フレーズ間に挿入する無音区間の長さを数値フレーズ数が３個の場合と同じ長さとするようにしてもよいし、数値フレーズ数が３個より増加するにつれて数値フレーズ間に挿入する無音区間の長さをより長くするようにしてもよい。
【００４５】
また、上記実施形態においては、数字を表す数詞と位を表す数詞とで１つの数値フレーズを形成する場合について説明したが、これに限定されるものではなく、数字を表す数詞と位を表す数詞とを個別の数値フレーズとすることもできる。この場合には、例えば「２１」は「に」「じゅう」「いち」と発音されることになり、数字を表す数詞とその位を表す数詞の間の無音区間と、位を表す数詞の次の数字を表す数詞との間の無音区間の長さを自由に調整することが可能となり、使用者がより聞き取り易い音声報知を行うことができる。数値フレーズ数の設定値は３に限らず、数値センテンスの聞き取り易さを区分する任意の値に設定することができる。
【００４６】
さらに、上記実施形態においては、報知音声フレーズと数値センテンスとの間に挿入する無音区間の長さを数値フレーズ数が２個である数値センテンスに挿入する無音区間の長さＬ１と等しくした場合について説明したが、これに限定されるものではなく、使用者の聞き取り易さに合わせて両者の無音区間の長さを異ならせることもできる。さらには、数値フレーズ数が２個である場合の無音区間のデフォルト値は聞き取り易さに応じて設定することができ、最小長さを零とすることも可能である。
【００４７】
さらに、上記実施形態では、リモコン６０にお知らせボタン６８を設けて、このお知らせボタン６８を操作する毎に、温度報知、湿度報知、本日電気代報知を行うようにした場合について説明したが、これに限定されるものではなく、温度報知ボタン、湿度報知ボタン、本日電気代報知ボタンを個別に設けるようにしてもよい。この場合には、表示部６１でお知らせ情報の表示項目を表示する必要がなくなり、より表示部６１を小さくすることができる。
【００４８】
また、上記実施形態では、温度報知、湿度報知、本日電気代報知の３種類の報知を行う場合について説明したが、必ずしも３種類の報知を行う必要は、温度報知と湿度報知を同時に行ったり、今月電気代報知を追加したりするようにしてもよく、任意の音声報知を加えることもできる。要は、数値フレーズ数が設定値以上となる数値センテンスと数値フレーズ数が設定値未満となる数値センテンスとを混在させて音声報知する場合に、本発明を適用することができる。
【００４９】
さらに、上記実施形態においては、室内機１０及びリモコン６０間の通信を赤外線通信で行う場合について説明したが、これに限定されるものではなく、例えば２．４ＧＨｚ帯を使用する近距離無線通信や他の無線通信を適用することができる。
また、上記実施形態においては、スピーカ１６を室内機１０に設けた場合について説明したが、リモコン６０側に設けるようにしてもよい。この場合には、室内機１０の音声処理部７２から出力される報知音声データをリモコン側に送信するようにすればよい。
【符号の説明】
【００５０】
１０…室内機、１５…リモコン受光部、１６…スピーカ、１７…室内熱交換器、１８…室内ファン、２１…室内ファンモータ、２２…モータ駆動回路、２３…左右風向板用モータ、２４…モータ駆動回路、２５…上下風向用モータ、２６…モータ駆動回路、２８…電源線、２９…電源回路、３０…室内機制御部、３１…リモコン受信器、３２…温度センサ、３３…湿度センサ、３４…センサ入力部、３７…音声回路、４０…室外機、４２…四方弁、４３…圧縮機、４３ａ…圧縮機用モータ、４４…室外熱交換器、４５…室外ファン、４５ａ…室外ファン用モータ、４６…膨張弁、４８，４９…モータ駆動回路、５０…室外機制御部、５１…通信部、６０…リモコン、６１…表示部、６２…冷房運転開始スイッチ、６３…暖房運転開始スイッチ、６４…停止スイッチ、６５…温度設定ボタン、６６…風量設定ボタン、６７…風向設定ボタン、６８…お知らせボタン、６９…送信部
【図１】
0006623519.tif 000002
【図２】
0006623519.tif 000003
【図３】
0006623519.tif 000004
【図４】
0006623519.tif 000005
【図５】
0006623519.tif 000006
【図６】
0006623519.tif 000007